【事件の表示】
　特願２０１８−３１８０８号「遊技機」拒絶査定不服審判事件〔令和１年９月５日出願公開、特開２０１９−１４６６６６号、請求項の数（１）〕について、次のとおり審決する。
【結　論】
　原査定を取り消す。
　本願の発明は、特許すべきものとする。
【理　由】
第１　手続の経緯
　本願は、平成３０年２月２６日の出願であって、令和１年１１月２６日付けで拒絶の理由が通知され、令和２年１月２２日に意見書及び手続補正書が提出され、同年２月６日付けで最後の拒絶の理由が通知され、同年４月７日に意見書及び手続補正書が提出されたところ、同年５月１１日付け（送達日：同年５月２６日）で、令和２年４月７日付け手続補正が却下されるとともに拒絶査定がなされ、それに対して、同年７月１６日に拒絶査定不服審判の請求がなされると同時に手続補正がなされ、これに対し、当審において、令和３年２月９日付けで拒絶の理由（以下「当審拒絶理由」という。）が通知され、同年４月９日に意見書及び手続補正書が提出されたものである。
　
第２　原査定の概要
　原査定（令和２年５月１１日付け拒絶査定）の概要は次のとおりである。
１．（新規事項）令和２年１月２２日付け手続補正書でした補正は、下記の点で願書に最初に添付した明細書、特許請求の範囲又は図面に記載した事項の範囲内においてしたものでないから、特許法第１７条の２第３項に規定する要件を満たしていない。
　
２．（同日出願）本願の請求項１に係る発明（以下「本願発明」という。）は、同一出願人が同日出願した下記の出願に係る発明と同一と認められるから、この通知書と同日に発送した特許庁長官名による指令書に記載した届出がないときは、特許法第３９条第２項の規定により特許を受けることができない。
　
　　　　　　　　　　　　　　　　　　記
●理由１（新規事項）について
・請求項　１
　補正前の同一のタイミングでの表示を、共通のタイミングでの表示とすることは、一定間隔での表示といった内容や、同一でなくともタイミングがややずれていれば共通であるといった内容をも含む虞があるものであって、新規事項の追加に該当する。
　
　　　　　　　　　　　　　　＜引用文献等一覧＞
　１．特願２０１８−３１８０７号（特開２０１９−１４６６６５号）
　
第３　当審拒絶理由の概要
　当審拒絶理由の概要は次のとおりである。
（進歩性）本願発明は、その出願前日本国内において頒布された下記の引用文献１に記載された発明に基いて、その出願前にその発明の属する技術の分野における通常の知識を有する者が容易に発明をすることができたものであるから、特許法第２９条第２項の規定により特許を受けることができない。
　
　　　　　　　　　　　　　　＜引用文献等一覧＞
　１．特開２０１０−２６４３０３号公報
　２．特開２０１７−５１６４４号公報（周知技術を示す文献）
　３．特開２０１７−１９２８１３号公報（周知技術を示す文献）
　４．特開２０１８−２７４９８号公報（周知技術を示す文献）
　
第４　本願発明
　本願発明は、令和３年４月９日付けの手続補正で補正された特許請求の範囲の請求項１に記載された事項により特定される、次のとおりのものである。
「Ａ　表示手段の所定領域において第１識別情報と第２識別情報と第３識別情報との可変表示を実行可能であり、可変表示の結果として該第１識別情報と該第２識別情報と該第３識別情報とが特定の組み合わせで表示されたときに遊技者にとって有利な有利状態に制御可能な遊技機であって、
　Ｂ　前記表示手段の前記所定領域と異なる複数の特定領域のうち少なくとも何れか１つにおいて特別表示を表示することによって前記有利状態に制御されることを示唆する示唆演出を実行可能な示唆演出実行手段を備え、
　Ｃ　前記複数の特定領域は、特別領域を含み、
　Ｄ　前記示唆演出において、前記複数の特定領域のうち少なくとも２つ以上の特定領域において同一のタイミングで前記特別表示を表示可能であり、
　Ｅ　前記示唆演出実行手段は、前記示唆演出として、前記特別領域に前記特別表示を表示する第１示唆演出と、前記特別領域に前記特別表示を表示しない第２示唆演出と、を実行可能であり、
　Ｆ　前記第１示唆演出が実行される場合に、前記特別領域に前記特別表示が最後に表示される、
　Ｇ　ことを特徴とする遊技機。」（なお、記号Ａ〜Ｇは、分説するために当審判合議体が付した。）
　
第５　引用文献、引用発明等
　１　引用文献１について
　　ア　記載事項
　当審拒絶理由に引用された引用文献１には、図面とともに次の事項が記載されている。
　　（ア）「【発明を実施するための形態】
【００２４】
　以下、図面を参照しつつ、本発明の一実施形態を詳細に説明する。図１は、本実施の形態における
パチンコ遊技機
【００２５】
　
遊技盤２の所定位置
には、第１特別図柄表示装置４Ａと、第２特別図柄表示装置４Ｂとが設けられている。
　
　　（イ）「【００２７】
　一例として、画像表示装置５の表示領域には、「左」、「中」、「右」の飾り図柄表示部５Ｌ、５Ｃ、５Ｒが配置されている。そして、
特図ゲームにおいて第１特別図柄表示装置４Ａによる第１特図の変動と第２特別図柄表示装置４Ｂによる第２特図の変動のいずれかが開始されることに対応して、「左」、「中」、「右」の各飾り図柄表示部５Ｌ、５Ｃ、５Ｒにて飾り図柄の変動
上下方向の
が開始される。
が停止表示される。
　
　　（ウ）「【００３０】
　また、
画像表示装置５の表示領域には、「左」及び「右」の色図柄表示部５Ａ、５Ｂが配置されている。
【００３１】
　「左」及び「右」の
色図柄表示部５Ａ、５Ｂにて可変表示される色図柄
　
　　（エ）「【００４３】
　第１特別図柄表示装置４Ａや第２特別図柄表示装置４Ｂによる特図ゲームでは、特別図柄の可変表示を開始させた後、所定時間が経過すると、特別図柄の可変表示結果となる確定特別図柄を停止表示（導出表示）する。このとき、確定特別図柄として特定の特別図柄（大当り図柄）が停止表示されれば、特定表示結果としての「大当り」となり、大当り図柄とは異なる所定の特別図柄（小当り図柄）が停止表示されれば、所定表示結果としての「小当り」となり、大当り図柄や小当り図柄以外の特別図柄が停止表示されれば「ハズレ」となる。
特図ゲームでの可変表示結果が「大当り」になった後には、
大当り遊技状態に制御される。
　
　　（オ）「【００５２】
　また、
飾り図柄の可変表示中には、
可変表示結果が「大当り」となる可能性があることを、飾り図柄の可変表示態様などにより遊技者に報知するための特定演出が実行される
この実施の形態では、「滑り」、「擬似連」
といった特定演出が実行可能に設定されている。
【００５３】
　
「滑り」の特定演出では、
「左」及び「右」の飾り図柄表示部５Ｌ、５Ｒ
にて飾り図柄を仮停止表示させた後、その仮停止表示した飾り図柄表示部のうち
飾り図柄表示部５Ｒ
にて飾り図柄を再び変動させた後に停止表示させることで、停止表示する飾り図柄を変更させる演出表示が行われる。
【００５４】
　
「擬似連」の特定演出では、
全部の飾り図柄表示部５Ｌ、５Ｃ、５Ｒにて飾り図柄を仮停止表示させた後、全部の飾り図柄表示部５Ｌ、５Ｃ、５Ｒにて飾り図柄を再び変動（擬似連変動）させる演出表示を、所定回（例えば最大４回まで）行うことができる。
　
　　（カ）「【００７４】
　画像表示装置５の表示領域では、
第１特別図柄表示装置４Ａによる第１特図を用いた特図ゲームにおける特別図柄の可変表示に対応して「左」の色図柄表示部５Ａにおける色図柄の可変表示が行われ、第２特別図柄表示装置４Ｂによる第１特図を用いた特図ゲームにおける特別図柄の可変表示に対応して「右」の色図柄表示部５Ｂにおける図柄の可変表示が行われる。
確定色図柄が停止表示される。
第１特図を用いた特図ゲームにおける確定特別図柄として１５ラウンド大当り図柄
が停止表示される場合には、「左」の色図柄表示部５Ａでは確定色図柄として「赤色」を示す色図柄が停止表示される。
、第１特図を用いた特図ゲームにおける確定特別図柄としてハズレ図柄
が停止表示される場合には、「左」の色図柄表示部５Ａでは確定色図柄として「青色」を示す色図柄が停止表示される。
　
　　（キ）「【００７８】
　
演出制御基板１２は、
サブ側の制御基板であり、
　
　　（ク）「【０４５５】
　次に、画像表示装置５の表示領域にて飾り図柄の可変表示が実行される際における演出動作の具体例について説明する。
演出制御基板１２では、
変動パターン指定コマンドにて指定された変動パターンなどに基づき、
飾り図柄の変動を開始させる。
【０４５６】
　以下ではまず、可変表示結果が「ハズレ」となる場合のうち、飾り図柄の可変表示態様が「非リーチ」である場合における具体例について説明する。図８６は、飾り図柄の可変表示態様が「非リーチ」である場合のうち、特定演出が実行されない場合や、「擬似連」の特定演出が実行される場合、「滑り」の特定演出が実行される場合、「発展チャンス目終了」の特定演出が実行される場合の表示動作例を示している。例えば、
変動パターン指定コマンドにより
非リーチＰＡ１−４の変動パターンが指定されたときには
「滑り」の特定演出が実行される
非リーチＰＡ１−５の変動パターンが指定されたときには
「擬似連」の特定演出が実行される
　
　　イ　認定事項
　　（ア）
　【図１】この実施の形態におけるパチンコ遊技機の正面図である。
　上記【図１】には、「色図柄表示部５Ａ、５Ｂが、画像表示装置５の表示領域の右下に配置され、「左」、「中」、「右」の飾り図柄表示部５Ｌ、５Ｃ、５Ｒが、画像表示装置５の表示領域の中央に配置されたこと。」が図示されているものと認められる。
　　（イ）
　【図８６】飾り図柄の可変表示中における表示動作例を示す図
　
【図８６】の（Ａ）→（Ｂ）→（Ｄ１）→（Ｄ２）→（Ｄ３）には、「全部の飾り図柄表示部５Ｌ、５Ｃ、５Ｒにて飾り図柄を５Ｌ→５Ｒ→５Ｃの順に仮停止表示させた後、全部の飾り図柄表示部５Ｌ、５Ｃ、５Ｒにて飾り図柄を再び変動させる」ことが図示され、（Ａ）→（Ｂ）→（Ｅ１）→（Ｅ２）→（Ｅ３）には、「「左」及び「右」の飾り図柄表示部５Ｌ、５Ｒにて飾り図柄を５Ｌ→５Ｒの順に仮停止表示させた後、その仮停止表示した飾り図柄表示部のうち５Ｒにて飾り図柄を再び変動させた後に停止表示させることで、停止表示する飾り図柄を変更させる」ことが図示されている。
　したがって、【図８６】には、
「全部の飾り図柄表示部５Ｌ、５Ｃ、５Ｒにて飾り図柄を５Ｌ→５Ｒ→５Ｃの順に仮停止表示させた後、全部の飾り図柄表示部５Ｌ、５Ｃ、５Ｒにて飾り図柄を再び変動させ、また、「左」及び「右」の飾り図柄表示部５Ｌ、５Ｒにて飾り図柄を５Ｌ→５Ｒの順に仮停止表示させた後、その仮停止表示した飾り図柄表示部のうち５Ｒにて飾り図柄を再び変動させた後に停止表示させることで、停止表示する飾り図柄を変更させること。」が図示されているものと認められる。
　
　ウ　引用発明
　上記「ア　記載事項」、及び、上記「イ　認定事項」によると、引用文献１には次の発明（以下「引用発明」という。）が記載されていると認められる。
「ａ
　遊技盤２の所定位置に、第１特別図柄表示装置４Ａと、第２特別図柄表示装置４Ｂとを設け（【００２５】）、
　特図ゲームにおいて、第１特別図柄表示装置４Ａによる第１特図の変動と第２特別図柄表示装置４Ｂによる第２特図の変動を実行可能であり（【００２７】）、
　画像表示装置５の表示領域の右下には、第１特図を用いた特図ゲームにおける特別図柄の可変表示に対応して色図柄の可変表示が行われる「左」の色図柄表示部５Ａ、及び、第２特図を用いた特図ゲームにおける特別図柄の可変表示に対応して色図柄の可変表示が行われる「右」の色図柄表示部５Ｂが配置され、
　色図柄表示部５Ａ、５Ｂにて色図柄の可変表示を開始し、色図柄の可変表示結果となる確定色図柄を停止表示可能であり（【００３０】、【００３１】、【００７４】、認定事項（ア））、
　第１特図を用いた特図ゲームにおける確定特別図柄として１５ラウンド大当り図柄が停止表示される場合には、「左」の色図柄表示部５Ａでは確定色図柄として「赤色」を示す色図柄が停止表示され、第１特図を用いた特図ゲームにおける確定特別図柄としてハズレ図柄が停止表示される場合には、「左」の色図柄表示部５Ａでは確定色図柄として「青色」を示す色図柄が停止表示され（【００７４】）、
　特図ゲームでの可変表示結果が大当りになった後には、大当り遊技状態に制御されるパチンコ遊技機（【００２４】、【００４３】）であって、
　ｂ、ｃ
　特図ゲームにおいて第１特別図柄表示装置４Ａによる第１特図の変動と第２特別図柄表示装置４Ｂによる第２特図の変動のいずれかが開始されることに対応して、画像表示装置５の表示領域の中央に配置された「左」、「中」、「右」の飾り図柄表示部５Ｌ、５Ｃ、５Ｒにて飾り図柄の上下方向の可変表示を開始し、飾り図柄の可変表示中に「擬似連」、「滑り」といった飾り図柄の可変表示態様によって、可変表示結果が「大当り」となる可能性があることを遊技者に報知する特定演出を実行する（【００２７】、【００５２】、認定事項（ア））演出制御基板１２（【００７８】）を備え、
　ｄ、ｅ、ｆ
　演出制御基板１２は、「擬似連」の特定演出、「滑り」の特定演出を、変動パターン指定コマンドにより指定された変動パターンに基づいて実行し、
　「擬似連」の特定演出では、全部の飾り図柄表示部５Ｌ、５Ｃ、５Ｒにて飾り図柄を５Ｌ→５Ｒ→５Ｃの順に仮停止表示させた後、全部の飾り図柄表示部５Ｌ、５Ｃ、５Ｒにて飾り図柄を再び変動（擬似連変動）させる演出表示を、所定回（例えば最大４回まで）行い、
　「滑り」の特定演出では、「左」及び「右」の飾り図柄表示部５Ｌ、５Ｒにて飾り図柄を５Ｌ→５Ｒの順に仮停止表示させた後、その仮停止表示した飾り図柄表示部のうち５Ｒにて飾り図柄を再び変動させた後に停止表示させることで、停止表示する飾り図柄を変更させる演出表示を行う（（【００５３】〜【００５４】、【０４５５】〜【０４５６】、認定事項（イ））、
　ｇ
　パチンコ遊技機（【００２４】）。」（なお、記号ａ〜ｇは、本願発明のＡ〜Ｇに対応させて当審判合議体が付した。）
　
第６　対比・判断
１　対比
　本願発明と引用発明とを対比する。
　（ａ）
　引用発明の「画像表示装置５の表示領域の右下に」「配置され」た「「左」の色図柄表示部５Ａ」、及び、「「右」の「色図柄表示部５Ｂ」」は、本願発明の「表示手段の所定領域」に相当する。
　そして、引用発明の「色図柄の可変表示」と、本願発明の「第１識別情報と第２識別情報と第３識別情報との可変表示」とは、「識別情報の可変表示」である点で共通する。
　また、引用発明の「第１特図を用いた特図ゲームにおける確定特別図柄として１５ラウンド大当り図柄となる「３」、「７」の数字を示す特別図柄のいずれかが停止表示される場合には、「左」の色図柄表示部５Ａでは確定色図柄として「赤色」を示す色図柄が停止表示され」ることと、本願発明の「可変表示の結果として該第１識別情報と該第２識別情報と該第３識別情報とが特定の組み合わせで表示され」ることとは、「可変表示の結果として特定の識別情報が表示され」ることで共通する。
　さらに、引用発明の「大当り遊技状態に制御される」ことは、本願発明の「遊技者にとって有利な有利状態に制御可能」なことに相当する。
　したがって、引用発明の構成ａと、本願発明の構成Ａとは、「表示手段の所定領域において識別情報の可変表示を実行可能であり、可変表示の結果として特定の識別情報が表示されたときに遊技者にとって有利な有利状態に制御可能な遊技機」である点で共通する。
　
　（ｂ）
　引用発明の「画像表示装置５の「左」、「中」、「右」の各飾り図柄表示部５Ｌ、５Ｃ、５Ｒ」は、本願発明の「表示手段の所定領域と異なる複数の特定領域」に相当する。
　そして、引用発明の「特定演出」は、構成ｄ、ｅ、ｆによると、「擬似連」の「特定演出」においては、「全部の飾り図柄表示部５Ｌ、５Ｃ、５Ｒにて飾り図柄を５Ｌ→５Ｒ→５Ｃの順に仮停止表示」させ、「滑り」の「特定演出」においては、「「左」及び「右」の飾り図柄表示部５Ｌ、５Ｒにて飾り図柄を５Ｌ→５Ｒの順に仮停止表示させる」ものである。
　そうすると、引用発明における「擬似連」若しくは「滑り」の「特定演出」において、「飾り図柄表示部５Ｌ、５Ｃ、５Ｒ」の何れかにおいて、「飾り図柄」を「仮停止表示させる」ことは、本願発明の「複数の特定領域のうち少なくとも何れか１つにおいて特別表示を表示すること」に相当する。
　したがって、引用発明の「飾り図柄の可変表示中に「滑り」、「擬似連」といった飾り図柄の可変表示態様によって、可変表示結果が「大当り」となる可能性があることを遊技者に報知する特定演出」は、本願発明の「特別表示を表示することによって有利状態に制御されることを示唆する示唆演出」に相当するから、引用発明の「特定演出を実行するサブ制御基板１２」は、本願発明の「示唆演出を実行可能な示唆演出実行手段」に相当する。
　よって、引用発明の構成ｂ、ｃは、本願発明の構成Ｂを備える。
　
　（ｃ）
　引用発明の「画像表示装置５の「左」、「中」、「右」の各飾り図柄表示部５Ｌ、５Ｃ、５Ｒ」のうちの「図柄表示部５Ｃ」は、本願発明の「特定領域」に含まれる「特別領域」に相当する。
　したがって、引用発明の構成ｂ、ｃは、本願発明の構成Ｃを備える。
　
　（ｄ）
　上記（ｂ）より、引用発明における「擬似連」の「特定演出」、および、「滑り」の「特定演出」において、「飾り図柄」の「仮停止表示」は、本願発明の「示唆演出」における「特別表示」に相当する。 
　そして、引用発明の「「擬似連」の特定演出」についての「全部の飾り図柄表示部５Ｌ、５Ｃ、５Ｒにて飾り図柄を５Ｌ→５Ｒ→５Ｃの順に仮停止表示させ」ること、および、「「滑り」の特定演出」についての「「左」及び「右」の飾り図柄表示部５Ｌ、５Ｒにて飾り図柄を５Ｌ→５Ｒの順に仮停止表示させ」ることは、いずれも、５Ｌ、５Ｃ、５Ｒの複数の表示領域に、所定の順番で１つずつ「飾り図柄」を「仮停止表示」させることであるから、本願発明における構成Ｄの「示唆演出において、複数の特定領域のうち少なくとも２つ以上の特定領域において同一のタイミングで特別表示を表示可能であ」ることとは、「示唆演出において、複数の特定領域のうち少なくとも２つ以上の特定領域において、それぞれ所定のタイミングで特別表示を表示可能であ」ることで共通する。
　
　（ｅ）
　引用発明において、「「擬似連」の特定演出」は、「飾り図柄表示部」「５Ｃ」に「飾り図柄を」「仮停止表示させ」るものであり、「「滑り」の特定演出」は、「飾り図柄表示部」「５Ｃ」に「飾り図柄を」「仮停止表示させ」ないものである。
　そして、上記（ｃ）より、引用発明の「図柄表示部５Ｃ」は、本願発明の「特別領域」に相当する。
　そうすると、引用発明の「全部の飾り図柄表示部５Ｌ、５Ｃ、５Ｒにて飾り図柄を５Ｌ→５Ｒ→５Ｃの順に仮停止表示させた後、全部の飾り図柄表示部５Ｌ、５Ｃ、５Ｒにて飾り図柄を再び変動（擬似連変動）させる演出表示を、所定回（例えば最大４回まで）行う」「「擬似連」の特定演出」は、本願発明の「特別領域に特別表示を表示する第１示唆演出」に相当し、引用発明の「「左」及び「右」の飾り図柄表示部５Ｌ、５Ｒにて飾り図柄を５Ｌ→５Ｒの順に仮停止表示させた後、その仮停止表示した飾り図柄表示部のうち５Ｒにて飾り図柄を再び変動させた後に停止表示させることで、停止表示する飾り図柄を変更させる演出表示を行う」「「滑り」の特定演出」は、５Ｃに飾り図柄を仮停止表示させないことから、本願発明の「特別領域に特別表示を表示しない第２示唆演出」に相当する。
　したがって、引用発明の構成ｄ、ｅ、fは、本願発明の構成Ｅを備える。
　
　（ｆ）
　引用発明の「「擬似連」の特定演出では、全部の飾り図柄表示部５Ｌ、５Ｃ、５Ｒにて飾り図柄を５Ｌ→５Ｒ→５Ｃの順に仮停止表示させ」ることは、「飾り図柄」「５Ｃ」が、最後に「仮停止表示さ」れることであり、一方、本願発明の「示唆演出」も、構成Ｂより、「示唆演出実行手段」により「実行可能」な演出であって、必ず実行される演出でないこと、および、上記（ｄ）、（ｅ）より、本願発明の「第１示唆演出が実行される場合は、特別領域に特別表示が最後に表示される」ことに相当する。
　したがって、引用発明の構成d、e、fは、本願発明の構成Ｆを備える。
　
（一致点）
「Ａ′　表示手段の所定領域において図柄の可変表示を実行可能であり、可変表示の結果として特定の図柄が表示されたときに遊技者にとって有利な有利状態に制御可能な遊技機であって、
　Ｂ　前記表示手段の前記所定領域と異なる複数の第１領域のうち少なくとも何れか１つにおいて特別表示を表示することによって前記有利状態に制御されることを示唆する示唆演出を実行可能な示唆演出実行手段を備え、
　Ｃ　前記複数の第１領域は、第２領域を含み、
　Ｄ′　前記示唆演出において、前記複数の特定領域のうち少なくとも２つ以上の特定領域において所定のタイミングで前記特別表示を表示可能であり、
　Ｅ　前記示唆演出実行手段は、前記示唆演出として、前記第２領域に前記特別表示を表示する第１示唆演出と、前記第２領域に前記特別表示を表示しない第２示唆演出と、を実行可能であり、
　Ｆ　前記第１示唆演出が実行される場合は、前記第２領域に前記特別表示が最後に表示される、
　Ｇ　遊技機。」
　
（相違点１）（構成Ａ）
　所定領域において実行可能な可変表示に関して、
　本願発明は、識別情報として第１識別情報と第２識別情報と第３識別情報を用い、可変表示の結果を第１識別情報と第２識別情報と第３識別情報との組み合わせで表示するのに対して、
　引用発明は、識別図柄として色図柄を用い、可変表示の結果を色図柄の色で表示する点。
　
（相違点２）（構成Ｄ）
示唆演出において、複数の特定領域のうち少なくとも２つ以上の特定領域において特別表示を表示するタイミングに関して、本願発明は、同一のタイミングであるのに対して、引用発明は、「擬似連」の特定演出では、全部の飾り図柄表示部５Ｌ、５Ｃ、５Ｒにて飾り図柄を５Ｌ→５Ｒ→５Ｃの順に仮停止表示させ、また、「滑り」の特定演出では、「左」及び「右」の飾り図柄表示部５Ｌ、５Ｒにて飾り図柄を５Ｌ→５Ｒの順に仮停止表示させる点。。
　
２　相違点についての判断
　上記相違点について相違点２から検討する。
（１）相違点２について
　遊技機の技術分野において、複数の飾り図柄を同時に仮停止表示させることは、本願出願前に周知の技術事項である（例えば、引用文献２の【０１２４】、【図２０】、引用文献３の【０６３２】、【図８０（Ｂ）】、引用文献４の【１０９５】を参照。以下「周知の技術事項」という。）。 
 　そして、引用発明と上記周知の技術事項とは、変動表示中に飾り図柄を仮停止表示する演出を行う点で共通する。 
 　したがって、引用発明に上記周知の技術事項を適用して、複数の飾り図柄を仮停止表示させる場合、複数の飾り図柄を同一のタイミングで仮停止表示させることは、当業者が適宜なし得たものである。
　
（２）相違点１について
　引用発明は、「飾り図柄の変動」を行う「画像表示装置５の表示領域の中央に配置された「左」、「中」、「右」の飾り図柄表示部５Ｌ、５Ｃ、５Ｒ」と同じ表示領域を用いて、「飾り図柄の可変表示中に「擬似連」、「滑り」といった飾り図柄の可変表示態様によって」「特定演出を実行する」ものである。
　そうすると、引用発明は、「飾り図柄の可変表示中に「擬似連」、「滑り」といった飾り図柄の可変表示態様によって」実行される「特定演出」を、３つの「飾り図柄表示部５Ｌ、５Ｃ、５Ｒ」に加えてさらに、当該「画像表示装置５の表示領域の中央に配置された」３つの「飾り図柄表示部５Ｌ、５Ｃ、５Ｒ」とは別の右下の表示領域の色図柄表示部５Ａ、５Ｂ（表示手段の所定領域）において、左中右の飾り図柄表示（第１識別情報と第２識別情報と第３識別情報との可変表示）を行う事情はないというべきである。
　また、引用発明において、「３つの飾り図柄表示部５Ｌ、５Ｃ、５Ｒにて」「開始される」、飾り図柄の可変表示とは別に「色図柄表示部５Ａ、５Ｂ」にて２つの色図柄を用いて可変表示結果を示唆することが、演出のポイントであって、それを他のものに置き換えたら演出のポイントがなくなってしまうため、置換することはできない。
　そして、本願発明は、相違点１に係る構成を備えることにより、令和３年４月９日に提出の意見書において主張する「遊技者に、第１識別情報と第２識別情報と第３識別情報との可変表示が実行される表示手段の所定領域とは異なる表示手段の複数の特定領域において実行される演出に注目させ、遊技興趣を向上させることができる」（３．（１）（１−２）を参照。）という効果を奏するものである。
　
（３）小括
　上記（１）、（２）より、本願発明は、引用発明と同一ではなく、また、当業者であっても引用発明に基づいて容易に発明できたものであるとはいえない。
　
第７　原査定についての判断
　令和２年７月１６日付けで提出された手続補正書により、請求項１に「前記示唆演出において、前記複数の特定領域のうち少なくとも２つ以上の特定領域において
同一
　この補正は、本願明細書の段落【０３０７】における「なお、カード演出の各段階の演出において、複数枚のカード画像が溜まる場合がある。すなわち、カード演出において、同一のタイミングで複数枚のカード画像が溜まる場合がある。」という記載等を根拠とするものであるから、新規事項を追加するものではない。
　また、同一出願人が同日出願した特願２０１８−３１８０７号（特開２０１９−１４６６６５号）は、同じく、令和２年７月１６日付けで提出された手続補正書により、請求項１に「前記示唆演出における前記特別表示は、複数種類の演出パターンのうち何れかに従っ
て
に１つずつ
　この補正により、「特別表示」が「複数の特定領域に」「表示」されるタイミングに関し、本願発明と同日発明とで異なる構成を有するものとなった。
　したがって、本願発明は、同日発明と同一ではない。
　よって、原査定を維持することはできない。
　
第８　むすび
　以上のとおり、原査定の理由によって、本願を拒絶することはできない。
　また、他に本願を拒絶すべき理由を発見しない。
　よって、結論のとおり審決する。